(57)【要約】【課題】スライドファスナー等の印刷媒体を吸着搬送可能であると共にインクミストを空気中から効率的に除去することができる搬送装置およびこれを備えた印刷装置を提供すること。【解決手段】搬送装置３０は、搬送ベルト３１Ａ，３１Ｂと、吸着ガイド３２とを備えている。搬送ベルト３１Ａ，３１Ｂには、スライドファスナー５を吸引する複数の吸着孔３１１が搬送方向に沿って形成されている。吸着ガイド３２には、搬送ベルト３１Ａ，３１Ｂを吸引する複数の第一吸引孔３２５Ａ，３２５Ｂと、複数の第一吸引孔３２５Ａ，３２５Ｂに対して、搬送方向に交差する幅方向Ｙにおける一方側に配置された複数の第二吸引孔３２６とが、搬送方向に沿って形成されている。【選択図】図２
2019093569.tif 000002
【特許請求の範囲】
【請求項１】
印刷媒体（５）を搬送方向（Ｘ）に搬送する搬送ベルト（３１Ａ，３１Ｂ）と、前記搬送ベルト（３１Ａ，３１Ｂ）を支持する支持部材（３２）とを備えており、
前記搬送ベルト（３１Ａ，３１Ｂ）には、印刷媒体（５）を吸引する複数の吸着孔（３１１）が搬送方向（Ｘ）に沿って形成されており、
前記支持部材（３２）には、前記搬送ベルト（３１Ａ，３１Ｂ）を吸引する複数の第一吸引孔（３２５Ａ，３２５Ｂ）と、前記複数の第一吸引孔（３２５Ａ，３２５Ｂ）に対して、搬送方向（Ｘ）に交差する幅方向（Ｙ）における一方側に配置された複数の第二吸引孔（３２６）とが、搬送方向（Ｘ）に沿って形成されている
ことを特徴とする搬送装置。
【請求項２】
前記支持部材（３２）は、前記搬送ベルト（３１Ａ，３１Ｂ）が配置されるベルトガイド溝（３７Ａ，３７Ｂ）を備えており、
前記第一吸引孔（３２５Ａ，３２５Ｂ）は、前記ベルトガイド溝（３７Ａ，３７Ｂ）の底面に開口している
ことを特徴とする請求項１に記載の搬送装置。
【請求項３】
前記第二吸引孔（３２６）は、前記ベルトガイド溝（３７Ａ，３７Ｂ）に対して仕切り片部を隔てて幅方向（Ｙ）における外側に配置されている
ことを特徴とする請求項２に記載の搬送装置。
【請求項４】
前記第一吸引孔（３２５Ａ，３２５Ｂ）および前記第二吸引孔（３２６）は、搬送方向（Ｘ）に延びた長孔によって形成されている
ことを特徴とする請求項１から請求項３のいずれか一項に記載の搬送装置。
【請求項５】
前記搬送ベルト（３１Ａ，３１Ｂ）は、二列設けられており、
前記支持部材（３２）には、搬送方向（Ｘ）に延びた凹溝（３８）が形成されており、
前記凹溝（３８）は、前記二列の搬送ベルト（３１Ａ，３１Ｂ）間における位置に配置されている
ことを特徴とする請求項１から請求項４のいずれか一項に記載の搬送装置。
【請求項６】
前記複数の第一吸引孔（３２５Ａ，３２５Ｂ）に対して搬送方向（Ｘ）に交差する幅方向（Ｙ）における他方側には、前記一方側に向けて空気を吐出するブロワ（６０）が更に設けられている
ことを特徴とする請求項１から請求項５のいずれか一項に記載の搬送装置。
【請求項７】
前記複数の第二吸引孔（３２６）を開閉移動可能に配置された開閉板（３２７）を更に備えている
ことを特徴とする請求項１から請求項６のいずれか一項に記載の搬送装置。
【請求項８】
前記支持部材（３２）のうち前記複数の第二吸引孔（３２６）が形成された吸引領域には、フィルタ（３２８）が配置されている
ことを特徴とする請求項１から請求項７のいずれか一項に記載の搬送装置。
【請求項９】
インクを吐出するプリンタヘッド（２０）と、前記プリンタヘッド（２０）から吐出したインクが付着される印刷媒体を搬送する請求項１から請求項８のいずれか一項に記載の搬送装置（３０）と、前記搬送装置（３０）の複数の第一吸引孔（３２５Ａ，３２５Ｂ）および複数の第二吸引孔（３２６）に吸引力を与える吸引装置（４０）とを備えている
ことを特徴とする印刷装置。
【請求項１０】
前記吸引装置（４０）は、前記複数の第一吸引孔（３２５Ａ，３２５Ｂ）側の第一減圧空間（４１Ａ）と前記複数の第二吸引孔（３２６）側の第二減圧空間（４１Ｂ）とを区画した区画ケース（４２Ａ，４２Ｂ）と、前記第一減圧空間（４１Ａ）を減圧可能に配置された第一ファン（４３Ａ）と、前記第二減圧空間（４１Ｂ）を減圧可能に配置された第二ファン（４３Ｂ）とを備えている
ことを特徴とする請求項９に記載の印刷装置。
【発明の詳細な説明】
【技術分野】
【０００１】
本発明は、シングルパス方式のインクジェットプリンタにおいて印刷媒体を吸着しながらベルト搬送する搬送装置およびこれを備えた印刷装置に関する。
【背景技術】
【０００２】
従来、搬送ベルトによって吸着搬送される記録媒体（印刷媒体）に対して、記録ヘッドからインクを吐出するシングルパス方式のインクジェットプリンタが知られている（特許文献１参照）。
搬送ベルトには、その搬送方向に沿って記録媒体吸着用の複数の第１孔が形成された媒体吸着領域と、記録ヘッドから吐出したインクによって発生する空気中のインクミストを吸引する複数の第２孔が形成されたミスト吸引領域とが設けられている。複数の第１孔および複数の第２孔には、減圧装置によって搬送ベルトの内側へ向かって通過する空気の流れがつくられる。
【先行技術文献】
【特許文献】
【０００３】
【特許文献１】特開２０１０−２３３７５号公報
【発明の概要】
【発明が解決しようとする課題】
【０００４】
ところで、特許文献１に記載のインクジェットプリンタでは、媒体吸着領域とミスト吸引領域とが搬送ベルトの搬送方向に並べて配置されているので、記録媒体は媒体吸着領域に納まる長さ寸法のものに限られてしまい、例えば記録媒体がスライドファスナー等の長さ寸法が大きいものである場合には媒体吸着領域から搬送方向にはみ出てしまって適切に吸着できなくなるおそれがある。
このようなスライドファスナーに対応するため、媒体吸着領域とミスト吸引領域とを搬送方向に並べて配置せずに、媒体吸着領域に対して搬送方向に直交する幅方向における両側でインクミストを吸引することが考えられる。しかし、この場合には、媒体吸着領域の幅方向における中央部分にあるインクミストが当該幅方向両側から吸引して引かれるので、中央部分にあるインクミストが吸引されずに残存し、搬送ベルトや記録媒体などに付着するおそれがある。
【０００５】
本発明の目的は、スライドファスナー等の印刷媒体を吸着搬送可能であると共にインクミストを空気中から効率的に除去することができる搬送装置およびこれを備えた印刷装置を提供することにある。
【課題を解決するための手段】
【０００６】
本発明の搬送装置は、印刷媒体を搬送方向に搬送する搬送ベルトと、前記搬送ベルトを支持する支持部材とを備えており、前記搬送ベルトには、印刷媒体を吸引する複数の吸着孔が搬送方向に沿って形成されており、前記支持部材には、前記搬送ベルトを吸引する複数の第一吸引孔と、前記複数の第一吸引孔に対して、搬送方向に交差する幅方向における一方側に配置された複数の第二吸引孔とが、搬送方向に沿って形成されていることを特徴とする。
本発明の搬送装置によれば、支持部材を、搬送ベルトを支持する支持面とは反対側の面から吸引装置などによって吸引力を付与することで、支持部材の第一吸引孔および搬送ベルトの複数の吸着孔を介して印刷媒体を吸引し、当該印刷媒体を搬送ベルトに吸着支持する。このとき、複数の吸着孔は搬送方向に沿って形成されているので、印刷媒体がスライドファスナーであっても吸着支持して搬送することができる。
更に、搬送装置によって搬送される印刷媒体に向けてプリンタヘッドからインクを吐出した際に発生する空気中のインクミストは複数の第二吸引孔から吸引することができる。具体的には、前述した吸引装置の作動により、搬送ベルトの幅方向における一方側に位置する複数の第二吸引孔から吸着ガイドの支持面側における空気を吸引することで、印刷媒体若しくは搬送ベルトとプリンタヘッドとの間の空間に、搬送ベルトの幅方向に沿って第二吸引孔側に向かう空気の流れを発生させ、この空気の流れを利用して前記空間におけるインクミストを複数の第二吸引孔から吸引することができ、このようにしてインクミストを空気中から効率的に除去することができる。
【０００７】
本発明の搬送装置では、前記支持部材は、前記搬送ベルトが配置されるベルトガイド溝を備えており、前記第一吸引孔は、前記ベルトガイド溝の底面に開口していることが好ましい。
このような構成によれば、ベルトガイド溝にガイドされる搬送ベルトの内周面を吸引することで搬送ベルトの搬送精度を向上することができる。また、本発明によれば、第一吸引孔の開口を搬送ベルトの吸着孔と容易に位置合わせすることができ、これにより、搬送ベルトに載置された印刷媒体を効率よく吸引して吸着支持することができる。
【０００８】
本発明の搬送装置では、前記第二吸引孔は、前記ベルトガイド溝に対して仕切り片部を隔てて幅方向における外側に配置されていることが好ましい。
このような構成によれば、第一吸引孔によるベルトガイド溝側での吸引に影響されずに第二吸引孔による吸引を行うことができ、インクミストを効率よく吸引することができる。
【０００９】
本発明の搬送装置では、前記第一吸引孔および前記第二吸引孔は、搬送方向に延びた長孔によって形成されていることが好ましい。
このような構成によれば、搬送方向に沿った大きな領域で搬送ベルトやインクミストを吸引することができる。
【００１０】
本発明の搬送装置では、前記搬送ベルトは、二列設けられており、前記支持部材には、搬送方向に延びた凹溝が形成されており、前記凹溝は、前記二列の搬送ベルト間における位置に配置されていることが好ましい。
このような構成によれば、印刷媒体がスライドファスナーである場合に、このスライドファスナーの両テープ部を二列の搬送ベルトによって吸着支持した状態で、エレメント（務歯）を二列の搬送ベルト間に位置する凹溝に配置することができる。これにより、スライドファスナーを吸着支持して搬送するのに特化した搬送装置を構成することができる。
また、前述したように、第二吸引孔から空気中のインクミストを吸引することで、搬送ベルトやスライドファスナーへのインクミストの付着を低減することができる。
【００１１】
本発明の搬送装置では、前記複数の第一吸引孔に対して搬送方向に交差する幅方向における他方側には、前記一方側に向けて空気を吐出するブロワが更に設けられていることが好ましい。
このような構成によれば、第二吸引孔からの吸引による空気の流れの形成を、ブロワによる空気の吐出によって補助することができる。これにより、インクミストを、より効率的に空気中から除去することができる。
【００１２】
本発明の搬送装置では、前記複数の第二吸引孔を開閉移動可能に配置された開閉板を更に備えていることが好ましい。
このような構成によれば、開閉板を開閉移動することで、開口状態とされる複数の第二吸引孔の孔数を調整することができ、これにより、複数の第二吸引孔における吸引力を調整することができる。
【００１３】
本発明の搬送装置では、前記支持部材のうち前記複数の第二吸引孔が形成された吸引領域には、フィルタが配置されていることが好ましい。
このような構成によれば、第二吸引孔によって吸引した空気中のインクミストをフィルタで回収することができる。また、目の粗さが異なる複数のフィルタを用意しておけば、複数のフィルタを適宜選択して前記吸引領域に配置することで、空気中のインクミストの吸引力を適宜調整することができる。
【００１４】
本発明の印刷装置は、インクを吐出するプリンタヘッドと、前記プリンタヘッドから吐出したインクが付着される印刷媒体を搬送する前述した本発明の搬送装置と、前記搬送装置の複数の第一吸引孔および複数の第二吸引孔に吸引力を与える吸引装置とを備えていることを特徴とする。
本発明の印刷装置によれば、前述した本発明の搬送装置と同様の作用効果を発揮可能な印刷装置を構成することができる。
【００１５】
本発明の印刷装置では、前記吸引装置は、前記複数の第一吸引孔側の第一減圧空間と前記複数の第二吸引孔側の第二減圧空間とを区画した区画ケースと、前記第一減圧空間を減圧可能に配置された第一ファンと、前記第二減圧空間を減圧可能に配置された第二ファンとを備えていることが好ましい。
このような構成によれば、第一ファンと第二ファンとの作動を別個独立に調整することで第一減圧空間および第二減圧空間の減圧状態をそれぞれ設定することができる。これにより、搬送ベルトの吸引力や印刷媒体の吸着力とインクミストの吸引力との差分を適宜調整することができる。
【発明の効果】
【００１６】
本発明によれば、スライドファスナー等の印刷媒体を吸着搬送可能であると共にインクミストを空気中から効率的に除去することができる搬送装置およびこれを備えた印刷装置を提供することができる。
【図面の簡単な説明】
【００１７】
【図１】本発明の実施形態に係るインクジェットプリンタを示す模式図。
【図２】図１に示すＩＩ−ＩＩ線に沿った断面図。
【図３】前記実施形態に係るインクジェットプリンタの支持部材の要部を示す平面図。
【図４】本発明の変形例に係るインクジェットプリンタを示す断面図。
【発明を実施するための形態】
【００１８】
［本実施形態の構成］
以下、本発明の実施形態を図面に基づいて説明する。
図１〜３において、本実施形態に係る印刷装置としてのシングルパス方式のインクジェットプリンタ１は、インクを吐出するプリンタヘッド２０と、プリンタヘッド２０から吐出したインクが付着される印刷媒体であるスライドファスナー５（図２参照）を搬送方向Ｘに搬送する搬送装置３０と、搬送装置３０の後述する第一吸引孔３２５Ａ，３２５Ｂおよび第二吸引孔３２６に吸引力を与える吸引装置４０とを備えている。
インクジェットプリンタ１は、図示しない制御装置によってプリンタヘッド２０によるインク吐出、搬送装置３０による搬送および吸引装置４０による吸引が制御される。
【００１９】
プリンタヘッド２０は、搬送方向Ｘに並んだ複数のヘッド部２１を有しており、各ヘッド部２１から下方にインクを吐出可能に構成されている。各ヘッド部２１から吐出されるインク色はマゼンタ、イエロー、シアン、ブラック等に分けられており、搬送されるスライドファスナー５のテープ部６Ａ，６Ｂにカラープリント可能である。
【００２０】
搬送装置３０は、図１，２に示すように、二列の搬送ベルト３１Ａ，３１Ｂと、搬送ベルト３１Ａ，３１Ｂを支持する支持部材としての吸着ガイド３２と、搬送ベルト３１Ａ，３１Ｂを搬送方向Ｘに走行させる走行装置３３とを備えている。
走行装置３３は、従動プーリ３４、駆動プーリ３５および二つの補助プーリ３６を備えており、これら各プーリ３４〜３６に搬送ベルト３１Ａ，３１Ｂが掛け回されている。従動プーリ３４は、搬送方向Ｘにおいて吸着ガイド３２よりも上流側に配置されている。駆動プーリ３５は、搬送方向Ｘにおいて吸着ガイド３２よりも下流側に配置されている。
【００２１】
搬送ベルト３１Ａ，３１Ｂは、互いに同様に構成されており、図２に示すように、スライドファスナー５のテープ部６Ａ，６Ｂを吸着支持する複数の吸着孔３１１が全周にそれぞれ形成されている。複数の吸着孔３１１は、搬送ベルト３１Ａ，３１Ｂの長手方向に延びた長孔が当該方向に複数並んで配置されて列をなしていると共に、搬送方向Ｘに直交する幅方向Ｙに複数列が配置されている。なお、複数の吸着孔３１１は、本実施形態では前述した孔形状、配置、配列とされているが、これに限定されず、スライドファスナー５などの印刷媒体を吸着支持可能な孔形状、配置や配列とされていればよい。
【００２２】
吸着ガイド３２は、図１に示すように搬送方向Ｘに沿っていると共にプリンタヘッド２０に対して下方に配置されている。吸着ガイド３２の前端部３２１は、プリンタヘッド２０よりも搬送方向Ｘにおける上流側に位置しており、吸着ガイド３２の後端部３２２は、プリンタヘッド２０よりも搬送方向Ｘにおける下流側に位置している。
【００２３】
吸着ガイド３２の上面には、二列のベルトガイド溝３７Ａ，３７Ｂと、幅方向Ｙにおけるベルトガイド溝３７Ａ，３７Ｂ間に位置する凹溝３８とが形成されている。
ベルトガイド溝３７Ａ，３７Ｂおよび凹溝３８はそれぞれ搬送方向Ｘに延びて形成されており、ベルトガイド溝３７Ａおよび凹溝３８間、並びにベルトガイド溝３７Ｂおよび凹溝３８間は、搬送方向Ｘに沿った仕切り片部３９によってそれぞれ仕切られている。
また、ベルトガイド溝３７Ａよりも幅方向Ｙにおける外側の部分に仕切り片部３９Ａが形成されており、この仕切り片部３９Ａによって後述する第一吸引孔３２５Ａ，３２５Ｂによる吸引領域と第二吸引孔３２６による吸引領域とが幅方向Ｙにおいて区分けされている。
【００２４】
ベルトガイド溝３７Ａ，３７Ｂは、搬送ベルト３１Ａ，３１Ｂがそれぞれ配置可能な幅寸法とされていると共に、搬送ベルト３１Ａ,３１Ｂの上面が仕切り片部３９の上面と面一に配置される深さ寸法とされている。
凹溝３８は、搬送されるスライドファスナー５のエレメント７（務歯）が配置可能な幅寸法および深さ寸法とされている。
【００２５】
吸着ガイド３２には、図２，３に示すように、複数の第一吸引孔３２５Ａ，３２５Ｂと、複数の第二吸引孔３２６とが形成されている。複数の第一吸引孔３２５Ａ，３２５Ｂは、ベルトガイド溝３７Ａ，３７Ｂの底面（支持面）および吸着ガイド３２の下面で開口して形成されており、複数の第二吸引孔３２６は、複数の第一吸引孔３２５Ａ，３２５Ｂに対して幅方向Ｙに仕切り片部３９Ａを隔てた位置において吸着ガイド３２の上面および下面で開口して形成されている。
【００２６】
複数の第一吸引孔３２５Ａ，３２５Ｂは、吸着ガイド３２の長手方向に延びた長孔が当該方向に複数並んで配置されて列をなしていると共に、幅方向Ｙに複数列が配置されている。なお、複数の第一吸引孔３２５Ａ，３２５Ｂは、本実施形態では前述した孔形状、配置、配列とされているが、これに限定されず、搬送ベルト３１Ａ，３１Ｂをそれぞれ吸引可能な孔形状、配置や配列とされていればよい。
【００２７】
複数の第一吸引孔３２５Ａは、そのうち幅方向Ｙにおいて最も外側に位置する第一吸引孔３２５Ａの列を除いて、ベルトガイド溝３７Ａに配置された搬送ベルト３１Ａの複数の吸着孔３１１に対して幅方向Ｙにおける列位置が一致する配置とされており、搬送ベルト３１Ａの吸着孔３１１と連通する。前記最も外側の列位置にある第一吸引孔３２５Ａは、吸着孔３１１と連通せずに搬送ベルト３１Ａの外側縁部を吸引可能に配置される。
【００２８】
複数の第一吸引孔３２５Ｂは、そのうち幅方向Ｙにおいて最も外側に位置する第一吸引孔３２５Ｂの列を除いて、ベルトガイド溝３７Ｂに配置された搬送ベルト３１Ｂの複数の吸着孔３１１に対して幅方向Ｙにおける列位置が一致する配置とされており、搬送ベルト３１Ｂの吸着孔３１１と連通する。前記最も外側の列位置にある第一吸引孔３２５Ｂは、吸着孔３１１と連通せずに搬送ベルト３１Ｂの外側縁部を吸引可能に配置される。
【００２９】
複数の第二吸引孔３２６は、吸着ガイド３２の長手方向に延びた長孔が当該方向に複数並んで配置されて列をなしていると共に、幅方向Ｙに複数列が配置されている。なお、複数の第二吸引孔３２６は、本実施形態では前述した孔形状、配置、配列とされているが、これに限定されず、複数の第一吸引孔３２５Ａに対して幅方向Ｙにおける一方側の位置で吸着ガイド３２上の空気を吸引可能な孔形状、配置や配列とされていればよい。
【００３０】
吸着ガイド３２には、その上面のうち複数の第二吸引孔３２６が形成された吸引領域に沿って開閉移動可能な開閉板３２７が設けられている。開閉板３２７は、幅方向Ｙに進退可能であり、仕切り片部３９Ａ側に向かって前進することで仕切り片部３９Ａおよび開閉板３２７間の前記吸引領域の幅寸法Ａ（図３参照）を狭めることができ、仕切り片部３９Ａ側とは反対側に向かって後退することで幅寸法Ａを拡げることができる。このように幅寸法Ａを適宜調整し、開閉板３２７によって塞がれる第二吸引孔３２６の孔数を増減することで当該第二吸引孔３２６による空気中のインクミストの吸引力の強弱を調整可能である。
また、開閉板３２７および仕切り片部３９Ａ間には、空気中のインクミストを回収するフィルタ３２８が配設されており、目の粗さが異なる複数枚のフィルタ３２８を適宜選択して使い分けることによっても、空気中のインクミストの吸引力の強弱を調整可能である。
【００３１】
吸引装置４０は、吸着ガイド３２に対して下方に減圧空間４１を区画した区画ケース４２と、区画ケース４２に装着されたファン４３とを備えている。
区画ケース４２は、図１に示すように搬送方向Ｘに沿って複数個が設けられていてもよいが、一個が設けられていてもよい。区画ケース４２は、本実施形態では、図２に示すように幅方向Ｙにおいて複数の第一吸引孔３２５Ａ，３２５Ｂおよび複数の第二吸引孔３２６を下方から覆える幅寸法とされている。
ファン４３は、図２に示すように一個が設けられているが、複数個が設けられていてもよい。ファン４３は、その作動により減圧空間４１を減圧する。これにより、複数の第一吸引孔３２５Ａ，３２５Ｂおよび複数の第二吸引孔３２６には吸引力が付与される。
【００３２】
［本実施形態の動作］
以下、本実施形態に係るインクジェットプリンタ１の動作について説明する。
先ず、走行装置３３を作動して搬送ベルト３１Ａ，３１Ｂを走行させると共に、吸引装置４０を作動して第一吸引孔３２５Ａ，３２５Ｂおよび第二吸引孔３２６に吸引力を付与する。搬送ベルト３１Ａ，３１Ｂは、第一吸引孔３２５Ａ，３２５Ｂに吸引されつつ吸着孔３１１に吸引力が付与される。このようにしてインクジェットプリンタ１をスタンバイ状態にする。
【００３３】
次に、搬送ベルト３１Ａ，３１Ｂ上にスライドファスナー５を上流側から載置し、搬送方向Ｘに搬送する。このとき、テープ部６Ａは、搬送ベルト３１Ａの吸着孔３１１に吸着支持され、テープ部６Ｂは搬送ベルト３１Ｂの吸着孔３１１に吸着支持され、そして、エレメント７は凹溝３８に配置される。
続いて、プリンタヘッド２０を作動してインクを吐出し、搬送されるスライドファスナー５のテープ部６Ａ，６Ｂに付着させる。このとき、プリンタヘッド２０および搬送ベルト３１Ａ，３１Ｂ間の空間にインクミストが発生するが、前記空間には第二吸引孔３２６からの吸引によって幅方向Ｙにおける第二吸引孔３２６側に向かう空気の流れが発生しており、この空気の流れを利用してインクミストを第二吸引孔３２６側に引き寄せてフィルタ３２８で回収する。
【００３４】
最後に、搬送装置３０の下流側からスライドファスナー５を取り出して、インクジェットプリンタ１によるプリントが完了する。
なお、インクジェットプリンタ１は、固定されたプリンタヘッド２０に対し搬送装置３０によって搬送されるスライドファスナー５等の印刷媒体にインクを付着させるシングルパス方式のものであるので、複数の印刷媒体を連続して搬送することでプリント効率がよい。
【００３５】
［本実施形態の効果］
（１）前記実施形態では、搬送装置３０は、スライドファスナー５を搬送方向Ｘに搬送する搬送ベルト３１Ａ，３１Ｂと、搬送ベルト３１Ａ，３１Ｂを支持する吸着ガイド３２とを備えており、搬送ベルト３１Ａ，３１Ｂには、スライドファスナー５を吸着支持する複数の吸着孔３１１が搬送方向Ｘに沿って形成されており、吸着ガイド３２には、搬送ベルト３１Ａ，３１Ｂを吸引する複数の第一吸引孔３２５Ａ，３２５Ｂと、複数の第一吸引孔３２５Ａ，３２５Ｂに対して、搬送方向Ｘに交差する幅方向Ｙにおける一方側に配置された複数の第二吸引孔３２６とが、搬送方向Ｘに沿って形成されていることを特徴とする。
上記構成を有しているため、吸着ガイド３２を、搬送ベルト３１Ａ，３１Ｂを支持する支持面とは反対側の面（下面）から吸引装置４０によって吸引力を付与することで、吸着ガイド３２の第一吸引孔３２５Ａ，３２５Ｂおよび搬送ベルト３１Ａ，３１Ｂの複数の吸着孔３１１を介してスライドファスナー５を吸引し、スライドファスナー５を搬送ベルト３１Ａ，３１Ｂに吸着支持する。このとき、複数の吸着孔３１１は搬送方向Ｘに沿って形成されているので、長尺のスライドファスナー５であっても吸着支持して搬送することができる。
更に、搬送装置３０によって搬送されるスライドファスナー５に向けてプリンタヘッド２０からインクを吐出した際に発生する空気中のインクミストは複数の第二吸引孔３２６から吸引することができる。具体的には、吸引装置４０の作動により、搬送ベルト３１Ａ，３１Ｂの幅方向Ｙにおける一方側に位置する複数の第二吸引孔３２６から吸着ガイド３２の上面側における空気を吸引することで、スライドファスナー５若しくは搬送ベルト３１Ａ，３１Ｂとプリンタヘッド２０との間の空間に、搬送ベルト３１Ａ,３１Ｂの幅方向Ｙに沿って第二吸引孔３２６側に向かう空気の流れを発生させ、この空気の流れを利用して前記空間におけるインクミストを複数の第二吸引孔３２６から吸引することができ、このようにしてインクミストを空気中から効率的に除去することができる。
【００３６】
（２）吸着ガイド３２は、搬送ベルト３１Ａ，３１Ｂが配置されるベルトガイド溝３７Ａ，３７Ｂを備えており、第一吸引孔３２５Ａ，３２５Ｂは、ベルトガイド溝３７Ａ，３７Ｂの底面に開口している。
このため、ベルトガイド溝３７Ａ，３７Ｂにガイドされる搬送ベルト３１Ａ，３１Ｂの内周面を吸引することで搬送ベルト３１Ａ，３１Ｂの搬送精度を向上することができる。また、第一吸引孔３２５Ａ，３２５Ｂの開口を搬送ベルト３１Ａ，３１Ｂの吸着孔３１１と容易に位置合わせすることができ、これにより、搬送ベルト３１Ａ，３１Ｂに載置されたスライドファスナー５を効率よく吸引して吸着支持することができる。
【００３７】
（３）第二吸引孔３２６は、ベルトガイド溝３７Ａ，３７Ｂに対して仕切り片部３０Ａを隔てて幅方向Ｙにおける外側に配置されている。
このため、第一吸引孔３２５Ａ，３２５Ｂによるベルトガイド溝３７Ａ，３７Ｂ側での吸引に影響されずに第二吸引孔３２６による吸引を行うことができ、インクミストを効率よく吸引することができる。
【００３８】
（４）第一吸引孔３２５Ａ，３２５Ｂおよび第二吸引孔３２６は、搬送方向Ｘに延びた長孔によって形成されている。
このため、搬送方向Ｘに沿った大きな領域で搬送ベルト３１Ａ，３１Ｂやインクミストを吸引することができる。
【００３９】
（５）吸着ガイド３２には、二列の搬送ベルト３１Ａ，３１Ｂ間における位置に配置された凹溝３８が搬送方向Ｘに沿って形成されている。
このため、スライドファスナー５のテープ部６Ａ，６Ｂを搬送ベルト３１Ａ，３１Ｂによって吸着支持した状態で、エレメント７を搬送ベルト３１Ａ，３１Ｂ間に位置する凹溝３８に配置することができる。これにより、スライドファスナー５を吸着支持して搬送するのに特化した搬送装置３０を構成することができる。
【００４０】
（６）複数の第二吸引孔３２６を開閉移動可能に配置された開閉板３２７を備えているので、開閉板３２７を開閉移動することで、開口状態とされる複数の第二吸引孔３２６の孔数を調整することができ、これにより、複数の第二吸引孔３２６における吸引力を調整することができる。
【００４１】
（７）吸着ガイド３２のうち複数の第二吸引孔３２６が形成された吸引領域には、フィルタ３２８が配置されているので、第二吸引孔３２６によって吸引した空気中のインクミストをフィルタ３２８で回収することができる。また、目の粗さが異なる複数のフィルタ３２８を用意しておけば、複数のフィルタ３２８を適宜選択して配置することで、空気中のインクミストの吸引力を適宜調整することができる。
【００４２】
［変形例］
本発明は、以上の実施形態で説明した構成のものに限定されず、本発明の目的を達成できる範囲での変形例は、本発明に含まれる。
例えば、前記実施形態では、吸着ガイド３２の幅方向Ｙにおける一方側に第二吸引孔３２６が配置されているが、これに加えて、例えば図４に示すように、幅方向Ｙにおける他方側にブロワ６０が設けられていてもよい。ブロワ６０は、幅方向Ｙにおいて第二吸引孔３２６側に向けて空気を吐出可能な向きに配置されている。このような構成を有するため、第二吸引孔３２６からの吸引による空気の流れの形成を、ブロワ６０による空気の吐出によって補助することができる。これにより、インクミストを、より効率的に空気中から除去することができる。
【００４３】
前記実施形態では、吸引装置４０は、複数の第一吸引孔３２５Ａ，３２５Ｂおよび複数の第二吸引孔３２６を下方から覆う区画ケース４２を備えているが、これに代えて、例えば図４に示すように、複数の第一吸引孔３２５Ａ，３２５Ｂ側の第一減圧空間４１Ａを区画した区画ケース４２Ａと、複数の第二吸引孔３２６側の第二減圧空間４１Ｂを区画した区画ケース４２Ｂとを備えていてもよい。この場合、区画ケース４２Ａには第一ファン４３Ａが装着されており、区画ケース４２Ｂには第二ファン４３Ｂが装着される。第一ファン４３Ａの作動により第一減圧空間４１Ａが減圧されると、複数の第一吸引孔３２５Ａ，３２５Ｂに吸引力が付与され、また、第二ファン４３Ｂの作動により第二減圧空間４１Ｂが減圧されると、複数の第二吸引孔３２６に吸引力が付与される。
このように、第一ファン４３Ａおよび第二ファン４３Ｂの作動を別個独立に調整することで、第一減圧空間４１Ａおよび第二減圧空間４１Ｂの減圧状態をそれぞれ設定することができる。これにより、搬送ベルト３１Ａ，３１Ｂの吸引力や印刷媒体の吸着力とインクミストの吸引力との差分を適宜調整することができる。
【００４４】
前記実施形態では、複数の第二吸引孔３２６を開閉移動により塞ぐことができる開閉板３２７を備えているが、この構成を省略してもよい。
また、前記実施形態では、フィルタ３２８を備えているが、これのほかにインクミストを回収するものがあれば、フィルタ３２８の構成を省略してもよい。
【００４５】
前記実施形態では、スライドファスナー５のエレメント７が配置される凹溝３８を吸着ガイド３２に形成したが、スライドファスナー５ではない帯状、短冊状などの印刷媒体を搬送する場合には、凹溝３８は形成されていなくてもよい。
【符号の説明】
【００４６】
１…インクジェットプリンタ（印刷装置）、２０…プリンタヘッド、２１…ヘッド部、３０…搬送装置、３１１…吸着孔、３１Ａ，３１Ｂ…搬送ベルト、３２…吸着ガイド（支持部材）、３２１…前端部、３２２…後端部、３２５Ａ，３２５Ｂ…第一吸引孔、３２６…第二吸引孔、３２７…開閉板、３２８…フィルタ、３３…走行装置、３４…従動プーリ、３５…駆動プーリ、３６…補助プーリ、３７Ａ，３７Ｂ…ベルトガイド溝、３８…凹溝、３９，３９Ａ…仕切り片部、４０…吸引装置、４１，４１Ａ，４１Ｂ…減圧空間、４２，４２Ａ，４２Ｂ…区画ケース、４３，４３Ａ，４３Ｂ…ファン、５…スライドファスナー（印刷媒体）、６０…ブロワ、６Ａ，６Ｂ…テープ部、７…エレメント、Ａ…幅寸法、Ｘ…搬送方向、Ｙ…幅方向。
【図１】
2019093569.tif 000003
【図２】
2019093569.tif 000004
【図３】
2019093569.tif 000005
【図４】
2019093569.tif 000006